(57)【要約】【課題】コンテンツに対応付けられた画像の視認性を確保しつつ、面白みのある選択画面を提供する。【解決手段】ユーザが複数のジャケット画像からいずれか一のジャケット画像を選択する際に、操作部において順方向にキー操作があった場合には、選択対象のジャケット画像を予め定められた最大サイズまで順次拡大して表示部に表示させた後に、次の順序の選択対象のジャケット画像を予め定められた最小サイズで表示部に表示させる。また、操作部において逆方向にキー操作があった場合には、選択対象のジャケット画像を最小サイズまで順次縮小して表示部に表示させた後に、前の順序の選択対象のジャケット画像を最大サイズで表示部に表示させる。【選択図】図４
2010055270.tif 000002
【特許請求の範囲】
【請求項１】
表示部と、
操作部と、
複数のコンテンツ及び当該複数のコンテンツが対応付けられた複数の画像を記憶する記憶部と、
前記複数の画像のうち選択対象の画像を前記表示部に表示させるとともに前記選択対象の画像に対応付けられたコンテンツを選択可能とする状態において、前記操作部からの操作に応じて前記選択対象の画像を順次拡大又は順次縮小して前記表示部に表示させた後に、他の選択対象の画像を前記表示部に表示させるとともに前記他の選択対象の画像に対応付けられたコンテンツを選択可能とする制御部と、
を備えるコンテンツ情報表示装置。
【請求項２】
前記複数の画像には予め順序が定められており、
前記制御部は、前記操作部からの操作に応じて選択対象の画像を予め定められた最大サイズまで順次拡大して前記表示部に表示させた後に、次の順序の画像を選択対象の画像として予め定められた最小サイズで前記表示部に表示させる、
請求項１に記載のコンテンツ情報表示装置。
【請求項３】
前記複数の画像には予め順序が定められており、
前記制御部は、前記操作部からの操作に応じて選択対象の画像を予め定められた最小サイズまで順次縮小して前記表示部に表示させた後に、前の順序の画像を選択対象の画像として予め定められた最大サイズで前記表示部に表示させる、
請求項１に記載のコンテンツ情報表示装置。
【請求項４】
前記制御部は、前記表示部に表示される選択対象の画像の大きさに応じて、当該選択対象の画像に対応付けられたコンテンツに関する情報を前記表示部に表示させる、
請求項１から３のいずれか一項に記載のコンテンツ情報表示装置。
【請求項５】
前記コンテンツに関する情報は、前記コンテンツに関する文字情報である、
請求項４に記載のコンテンツ情報表示装置。
【請求項６】
制御部により、複数のコンテンツ及び当該複数のコンテンツが対応付けられた複数の画像が記憶されている記憶部から前記複数の画像を読み出して表示部に表示させるコンテンツ情報表示方法であって、
前記制御部により、前記複数の画像のうち選択対象の画像を前記表示部に表示させるとともに前記選択対象の画像に対応付けられたコンテンツを選択可能とする状態において、操作部からの操作に応じて前記選択対象の画像を順次拡大又は順次縮小して前記表示部に表示させた後に、他の選択対象の画像を前記表示部に表示させるとともに前記他の選択対象の画像に対応付けられたコンテンツを選択可能とするコンテンツ情報表示方法。
【請求項７】
コンピュータを、
複数のコンテンツ及び当該複数のコンテンツが対応付けられた複数の画像を記憶する記憶部、
前記複数の画像のうち選択対象の画像を表示部に表示させるとともに前記選択対象の画像に対応付けられたコンテンツを選択可能とする状態において、操作部からの操作に応じて前記選択対象の画像を順次拡大又は順次縮小して前記表示部に表示させた後に、他の選択対象の画像を前記表示部に表示させるとともに前記他の選択対象の画像に対応付けられたコンテンツを選択可能とする制御部、
として機能させるためのプログラム。
【発明の詳細な説明】
【技術分野】
【０００１】
本発明は、コンテンツ情報表示装置、コンテンツ情報表示方法及びプログラムに関する。
【背景技術】
【０００２】
従来、大容量メモリやＨＤＤ（Hard Disk Drive）等の大容量記憶装置を備えるデジタルオーディオプレーヤーにおいて、大容量記憶装置に記憶されている大量の音楽ファイルの中からユーザが再生対象の音楽ファイルを検索するために、音楽ファイルにタグ情報（アーティスト情報、アルバム情報、ジャンル情報、ジャケット情報、発売年情報等）が付与されており、ユーザは、アーティスト名やアルバム名等の分類から目的の音楽ファイルを検索し、再生することができる。
【０００３】
図１０（ａ）に、アルバム検索画面３７１の表示例を示す。図１０（ａ）に示すアルバム検索画面３７１では、データベース内のアルバム情報にリンクされたジャケット画像Ｐ３１〜Ｐ３７が、表示画面のサイズ及びアルバムリストの行数に応じた大きさで、アルバム名とともに表示されている。ユーザは、アルバムリストを上下方向にスクロールして再生対象のアルバムを選択し、確定する。再生対象のアルバムの確定後には、図１０（ｂ）に示す再生表示画面３７２に遷移する。図１０（ｂ）に示す再生表示画面３７２では、アーティスト名、アルバム名、トラック名等を表示するために許される限りの大きさでジャケット画像Ｐ３８を表示することにより、ジャケットの内容の視認性を良くしている。また、機器によっては、図１０（ｃ）に示すように、ジャケット画像Ｐ３９をフルサイズ表示画面３７３で表示するための切替機能が設けられている。
【０００４】
さらに、近年、ジャケット画像のみによる検索（ジャケット検索）が可能となっている。図１１に、ジャケット検索画面３７４の表示例を示す。図１１に示すジャケット検索画面３７４では、表示画面に一括表示可能な数のジャケット画像Ｐ４１〜Ｐ５２をタイル状に敷き詰めて表示し、十字キー等で所望のジャケット画像にカーソルを合わせて選択することができる。
【０００５】
また、図１２に、他のジャケット検索画面３７５の表示例を示す。図１２に示すジャケット検索画面３７５では、選択対象となるジャケット画像Ｐ６１を中心として前後数枚のジャケット画像Ｐ６２〜Ｐ６５をパラパラと本をめくるように立体的な動画で表示し、所望のジャケット画像を選択することができる。このように、ジャケット画像を積極的に利用する機器が登場し、ジャケット画像に対するユーザの注目度が上がってきている。
【０００６】
また、楽曲名とジャケット画像とを並べて表示した楽曲リストにおいて、選択中の楽曲についてはジャケット画像を拡大して表示し、楽曲リストのスクロール速度に応じてジャケット画像の拡大率を変更する楽曲再生装置が提案されている（特許文献１参照）。
【特許文献１】特開２００８−７１１１８号公報
【発明の開示】
【発明が解決しようとする課題】
【０００７】
しかし、図１０（ａ）に示した従来のアルバム検索では、検索性を向上させるために一括表示行数を多くした場合、ジャケット画像の表示サイズが小さくなり、ジャケットの内容の視認性が悪かった。この場合には、ジャケット画像のみではアルバムを識別することが困難であるため、アルバム名等の文字情報を合わせて表示する必要があった。また、図１０（ａ）に示した表示例は、アルバムリストに添えられているジャケット画像を、スクロールによって上下方向に移動させるだけであるので、表示の演出としては単調で面白みがなかった。
【０００８】
図１１に示したように、ジャケット画像をタイル状に敷き詰める方法では、検索性を向上させるためにジャケット画像の一括表示数を多くすると、ジャケット画像の表示サイズが小さくなり、検索時にジャケット画像に記載されているアーティスト名やアルバム名を確認することが困難であった。
【０００９】
図１２に示したように、立体的にジャケット画像を移動させて表示する方法では、ジャケット画像の表示枚数を多くした場合、ジャケット画像の表示サイズが小さくなり、ジャケットの内容の視認性が悪かった。一方、視認性を重視すると、ある程度大きい表示画面が必要となっていた。
【００１０】
本発明は、上記の従来技術における問題に鑑みてなされたものであって、コンテンツに対応付けられた画像の視認性を確保しつつ、面白みのある選択画面を提供することを課題とする。
【課題を解決するための手段】
【００１１】
上記課題を解決するために、請求項１に記載のコンテンツ情報表示装置は、表示部と、操作部と、複数のコンテンツ及び当該複数のコンテンツが対応付けられた複数の画像を記憶する記憶部と、前記複数の画像のうち選択対象の画像を前記表示部に表示させるとともに前記選択対象の画像に対応付けられたコンテンツを選択可能とする状態において、前記操作部からの操作に応じて前記選択対象の画像を順次拡大又は順次縮小して前記表示部に表示させた後に、他の選択対象の画像を前記表示部に表示させるとともに前記他の選択対象の画像に対応付けられたコンテンツを選択可能とする制御部と、を備える。
【００１２】
請求項２に記載の発明は、請求項１に記載のコンテンツ情報表示装置において、前記複数の画像には予め順序が定められており、前記制御部は、前記操作部からの操作に応じて選択対象の画像を予め定められた最大サイズまで順次拡大して前記表示部に表示させた後に、次の順序の画像を選択対象の画像として予め定められた最小サイズで前記表示部に表示させる。
【００１３】
請求項３に記載の発明は、請求項１に記載のコンテンツ情報表示装置において、前記複数の画像には予め順序が定められており、前記制御部は、前記操作部からの操作に応じて選択対象の画像を予め定められた最小サイズまで順次縮小して前記表示部に表示させた後に、前の順序の画像を選択対象の画像として予め定められた最大サイズで前記表示部に表示させる。
【００１４】
請求項４に記載の発明は、請求項１から３のいずれか一項に記載のコンテンツ情報表示装置において、前記制御部は、前記表示部に表示される選択対象の画像の大きさに応じて、当該選択対象の画像に対応付けられたコンテンツに関する情報を前記表示部に表示させる。
【００１５】
請求項５に記載の発明は、請求項４に記載のコンテンツ情報表示装置において、前記コンテンツに関する情報は、前記コンテンツに関する文字情報である。
【００１６】
請求項６に記載の発明は、制御部により、複数のコンテンツ及び当該複数のコンテンツが対応付けられた複数の画像が記憶されている記憶部から前記複数の画像を読み出して表示部に表示させるコンテンツ情報表示方法であって、前記制御部により、前記複数の画像のうち選択対象の画像を前記表示部に表示させるとともに前記選択対象の画像に対応付けられたコンテンツを選択可能とする状態において、操作部からの操作に応じて前記選択対象の画像を順次拡大又は順次縮小して前記表示部に表示させた後に、他の選択対象の画像を前記表示部に表示させるとともに前記他の選択対象の画像に対応付けられたコンテンツを選択可能とする。
【００１７】
請求項７に記載の発明は、コンピュータを、複数のコンテンツ及び当該複数のコンテンツが対応付けられた複数の画像を記憶する記憶部、前記複数の画像のうち選択対象の画像を表示部に表示させるとともに前記選択対象の画像に対応付けられたコンテンツを選択可能とする状態において、操作部からの操作に応じて前記選択対象の画像を順次拡大又は順次縮小して前記表示部に表示させた後に、他の選択対象の画像を前記表示部に表示させるとともに前記他の選択対象の画像に対応付けられたコンテンツを選択可能とする制御部、として機能させるためのプログラムである。
【発明の効果】
【００１８】
本発明によれば、コンテンツに対応付けられた画像の視認性を確保しつつ、面白みのある選択画面を提供することができる。
【発明を実施するための最良の形態】
【００１９】
［第１の実施の形態］
まず、本発明の第１の実施の形態について説明する。
図１に、第１の実施の形態におけるコンテンツ情報表示装置としてのデジタルオーディオプレーヤー１００の機能的構成を示す。図１に示すように、デジタルオーディオプレーヤー１００は、ＣＰＵ（Central Processing Unit）１０、ＲＯＭ（Read Only Memory）２０、一時記憶部３０、記憶装置４０、クロック部５０、操作部６０、表示部７０、増幅部８０、出力部９０を備える。
【００２０】
ＣＰＵ１０は、デジタルオーディオプレーヤー１００の各部の処理動作を統括的に制御する。具体的には、ＣＰＵ１０は、操作部６０から入力される操作信号に応じて、ＲＯＭ２０に記憶されている各種処理プログラムを読み出し、一時記憶部３０内に形成されたワークエリアに展開し、当該プログラムとの協働により各種処理を実行する。
【００２１】
ＲＯＭ２０は、不揮発性の半導体メモリ等により構成され、各種処理プログラム、当該プログラムの実行に必要なパラメータやファイル等を記憶している。
【００２２】
一時記憶部３０は、ＣＰＵ１０によって実行される各種処理プログラムや、これらプログラムによって処理されたデータ等を一時的に記憶するバッファとして機能する。また、一時記憶部３０は、第１のジャケット画像表示処理（図３参照）の実行時には、画像メモリとして機能する。
【００２３】
記憶装置４０は、大容量の不揮発性メモリやＨＤＤ等から構成され、複数の音楽ファイルや、複数の音楽ファイルが対応付けられた複数のジャケット画像の画像データ等の各種データを記憶する。各アルバムは、それぞれ複数の音楽ファイルから構成されている。各音楽ファイルのタグ情報には、アーティスト情報、アルバム情報、ジャンル情報、トラック情報、発売年情報、ファイル形式情報、ジャケット画像の画像データへのリンク情報等が含まれる。音楽ファイルのデータ形式としては、例えばＷＡＶＥ形式、ＭＰ３（MPEG Audio Layer-3）形式、ＷＭＡ形式（Windows Media（登録商標）Audio）、ＭＩＤＩ（Musical Instruments Digital Interface）形式等が挙げられる。
【００２４】
なお、複数のジャケット画像には予め順序が定められており、各ジャケット画像とジャケットナンバーＸとが対応付けられている。ジャケットナンバーＸとは、複数のジャケット画像に対して任意の順序で割り振られた番号（１〜ｎ）である。
【００２５】
クロック部５０は、ＣＰＵ１０に対して動作クロック信号を供給する。
【００２６】
操作部６０は、キー操作により入力された操作信号をＣＰＵ１０に出力する。
【００２７】
図２（ａ）及び（ｂ）に、操作部６０の例としてジョグボールキーを示す。図２（ａ）は、操作部６０の上面図であり、図２（ｂ）は、操作部６０の側面図である。ユーザが指先で球体（ボール）６１を転がすことにより、球体６１の回転に応じて筐体６２の内部に設けられた４方向の各磁気ローラが回転し、各ローラの下部に設けられたホールＩＣが磁力を検出して回転移動量をパルスに変換し、座標の変化量を認識することにより、カーソルの移動動作（スクロール）を行う。また、操作部６０は、図２（ｂ）において球体６１を下方へ押下することにより、カーソル位置において選択されている項目の決定動作を行う際に使用される。
【００２８】
なお、操作部６０は、ジョグボールやホイール等の回転動作機構のものが望ましいが、タクトキーやタッチセンサ等であってもよい。
【００２９】
表示部７０は、ＬＣＤ（Liquid Crystal Display）等により構成され、ＣＰＵ１０から入力される表示データに基づいて各種画面を表示する。
【００３０】
増幅部８０は、ＣＰＵ１０により復号化された音声信号（アナログ信号）を増幅し、増幅した信号を出力部９０に対して出力する。
【００３１】
出力部９０は、ヘッドホンやスピーカにより構成され、増幅部８０により増幅された信号を音楽や音声の音響成分に変換して出力する。
【００３２】
ＣＰＵ１０は、複数のジャケット画像のうち選択対象のジャケット画像を表示部７０に表示させるとともに選択対象のジャケット画像に対応付けられた音楽ファイルを選択可能とする状態において、操作部６０からの操作に応じて選択対象のジャケット画像を順次拡大又は順次縮小して表示部７０に表示させた後に、他の選択対象のジャケット画像を表示部７０に表示させるとともに他の選択対象のジャケット画像に対応付けられた音楽ファイルを選択可能とする。
【００３３】
具体的には、ＣＰＵ１０は、操作部６０からの操作に応じて選択対象のジャケット画像を予め定められた最大サイズまで順次拡大して表示部７０に表示させた後に、次の順序のジャケット画像を選択対象のジャケット画像として予め定められた最小サイズで表示部７０に表示させる。また、ＣＰＵ１０は、操作部６０からの操作に応じて選択対象のジャケット画像を予め定められた最小サイズまで順次縮小して表示部７０に表示させた後に、前の順序のジャケット画像を選択対象のジャケット画像として予め定められた最大サイズで表示部７０に表示させる。
【００３４】
選択対象のジャケット画像は、ジャケットスケールＹに応じた大きさで表示される。ジャケットスケールＹとは、ジャケット画像の表示に対して任意に設定されたスケール設定（ｍ段階）において割り振られた値（１〜ｍ）である。最大サイズとは、ジャケット画像の表示に対して設定されたスケール設定のうち最大のものをいう（Ｙ＝ｍ）。最小サイズとは、ジャケット画像の表示に対して設定されたスケール設定のうち最小のものをいう（Ｙ＝１）。
【００３５】
次に、動作について説明する。
図３は、デジタルオーディオプレーヤー１００において実行される第１のジャケット画像表示処理を示すフローチャートである。この処理は、ユーザが再生対象のアルバムをジャケット画像によって検索する際に実行される処理であって、ＣＰＵ１０とＲＯＭ２０に記憶されているプログラムとの協働によるソフトウェア処理によって実現される。
【００３６】
まず、図３に示すように、ＣＰＵ１０により、ジャケットナンバーＸ及びジャケットスケールＹの値が１に初期化される（ステップＳ１）。
【００３７】
次に、ＣＰＵ１０により、ジャケットナンバーＸのジャケット画像の画像データが記憶装置４０から一時記憶部３０に読み出され、当該画像データに対してジャケットスケールＹで表示すべく画像処理（拡大又は縮小）が施され、表示部７０にジャケットナンバーＸのジャケット画像がジャケットスケールＹで表示される（ステップＳ２）。
【００３８】
ここで、ＣＰＵ１０により、操作部６０からキー操作があったか否かが判断される（ステップＳ３）。操作部６０からキー操作があった場合には（ステップＳ３；ＹＥＳ）、ＣＰＵ１０により、そのキー操作が順方向であるか又は逆方向であるかが判断される（ステップＳ４）。ここで、順方向のキー操作とは、操作部６０において球体６１を前方向（図２（ａ）において上方向）に転がす操作に相当し、逆方向のキー操作とは、操作部６０において球体６１を後方向（図２（ａ）において下方向）に転がす操作に相当する。
【００３９】
キー操作が順方向である場合には（ステップＳ４；ＹＥＳ）、ＣＰＵ１０により、ジャケットスケールＹがｍ（最大サイズ）であるか否かが判断される（ステップＳ５）。ジャケットスケールＹがｍでない場合には（ステップＳ５；ＮＯ）、ＣＰＵ１０により、ジャケットスケールＹに１が加算され（ステップＳ６）、ステップＳ２に戻る。
【００４０】
ステップＳ５において、ジャケットスケールＹがｍである場合には（ステップＳ５；ＹＥＳ）、ＣＰＵ１０により、ジャケットナンバーＸがｎ（予め定められている順序において最後のジャケット画像）であるか否かが判断される（ステップＳ７）。ジャケットナンバーＸがｎでない場合には（ステップＳ７；ＮＯ）、ＣＰＵ１０により、ジャケットナンバーＸに１が加算され（ステップＳ８）、ジャケットスケールＹが１（最小サイズ）にリセットされ（ステップＳ９）、ステップＳ２に戻る。
【００４１】
ステップＳ４において、キー操作が逆方向である場合には（ステップＳ４；ＮＯ）、ＣＰＵ１０により、ジャケットスケールＹが１（最小サイズ）であるか否かが判断される（ステップＳ１０）。ジャケットスケールＹが１でない場合には（ステップＳ１０；ＮＯ）、ＣＰＵ１０により、ジャケットスケールＹから１が減算され（ステップＳ１１）、ステップＳ２に戻る。
【００４２】
ステップＳ１０において、ジャケットスケールＹが１である場合には（ステップＳ１０；ＹＥＳ）、ＣＰＵ１０により、ジャケットナンバーＸが１（予め定められている順序において最初のジャケット画像）であるか否かが判断される（ステップＳ１２）。ジャケットナンバーＸが１でない場合には（ステップＳ１２；ＮＯ）、ＣＰＵ１０により、ジャケットナンバーＸから１が減算され（ステップＳ１３）、ジャケットスケールＹがｍ（最大サイズ）にリセットされ（ステップＳ１４）、ステップＳ２に戻る。
【００４３】
ステップＳ７において、ジャケットナンバーＸがｎである場合（ステップＳ７；ＹＥＳ）、又は、ステップＳ１２において、ジャケットナンバーＸが１である場合（ステップＳ１２；ＹＥＳ）、処理が終了する。
【００４４】
図４（ａ）〜（ｉ）を参照して、操作部６０からのキー操作に応じて３段階（小サイズ、中サイズ、大サイズ）に順次拡大又は順次縮小してジャケット画像を表示する動作を説明する。ここで、図４（ａ）〜（ｃ）はアルバムＡのジャケット画像であり、図４（ｄ）〜（ｆ）はアルバムＢのジャケット画像であり、図４（ｇ）〜（ｉ）はアルバムＣのジャケット画像である。なお、アルバムＡ〜Ｃのジャケット画像には、アルバムＡ、アルバムＢ、アルバムＣの順に予め順序が定められている。
【００４５】
操作部６０において順方向にキー操作があった場合には、選択対象のジャケット画像が小サイズ、中サイズ、大サイズと順次拡大されて表示部７０に表示され、最大サイズ（大サイズ）に到達した場合には、次の順序のジャケット画像が最小サイズ（小サイズ）で表示部７０に表示される。
【００４６】
逆に、操作部６０において逆方向にキー操作があった場合には、選択対象のジャケット画像が大サイズ、中サイズ、小サイズと順次縮小されて表示部７０に表示され、最小サイズ（小サイズ）に到達した場合には、前の順序のジャケット画像が最大サイズ（大サイズ）で表示される。
【００４７】
具体的には、図４（ａ）に示すジャケット表示画面７１のように、アルバムＡのジャケット画像Ｐ１が小サイズで表示部７０に表示されている状態で、操作部６０から順方向にキー操作があった場合には、図４（ｂ）に示すジャケット表示画面７２のように、アルバムＡのジャケット画像Ｐ２が中サイズで表示部７０に表示される。図４（ｂ）に示す状態で、操作部６０から順方向にキー操作があった場合には、図４（ｃ）に示すジャケット表示画面７３のように、アルバムＡのジャケット画像Ｐ３が大サイズで表示部７０に表示される。
【００４８】
図４（ｃ）に示す状態で、操作部６０から順方向にキー操作があった場合には、図４（ｄ）に示すジャケット表示画面７４のように、アルバムＢのジャケット画像Ｐ４が小サイズで表示部７０に表示される。図４（ｄ）に示す状態で、操作部６０から順方向にキー操作があった場合には、図４（ｅ）に示すジャケット表示画面７５のように、アルバムＢのジャケット画像Ｐ５が中サイズで表示部７０に表示される。図４（ｅ）に示す状態で、操作部６０から順方向にキー操作があった場合には、図４（ｆ）に示すジャケット表示画面７６のように、アルバムＢのジャケット画像Ｐ６が大サイズで表示部７０に表示される。
【００４９】
図４（ｆ）に示す状態で、操作部６０から順方向にキー操作があった場合には、図４（ｇ）に示すジャケット表示画面７７のように、アルバムＣのジャケット画像Ｐ７が小サイズで表示部７０に表示される。図４（ｇ）に示す状態で、操作部６０から順方向にキー操作があった場合には、図４（ｈ）に示すジャケット表示画面７８のように、アルバムＣのジャケット画像Ｐ８が中サイズで表示部７０に表示される。図４（ｈ）に示す状態で、操作部６０から順方向にキー操作があった場合には、図４（ｉ）に示すジャケット表示画面７９のように、アルバムＣのジャケット画像Ｐ９が大サイズで表示部７０に表示される。
【００５０】
逆に、図４（ｉ）に示す状態で、操作部６０から逆方向にキー操作があった場合には、図４（ｈ）に示すジャケット表示画面７８のように、アルバムＣのジャケット画像Ｐ８が中サイズで表示部７０に表示される。図４（ｈ）に示す状態で、操作部６０から逆方向にキー操作があった場合には、図４（ｇ）に示すジャケット表示画面７７のように、アルバムＣのジャケット画像Ｐ７が小サイズで表示部７０に表示される。
【００５１】
図４（ｇ）に示す状態で、操作部６０から逆方向にキー操作があった場合には、図４（ｆ）に示すジャケット表示画面７６のように、アルバムＢのジャケット画像Ｐ６が大サイズで表示部７０に表示される。図４（ｆ）に示す状態で、操作部６０から逆方向にキー操作があった場合には、図４（ｅ）に示すジャケット表示画面７５のように、アルバムＢのジャケット画像Ｐ５が中サイズで表示部７０に表示される。図４（ｅ）に示す状態で、操作部６０から逆方向にキー操作があった場合には、図４（ｄ）に示すジャケット表示画面７４のように、アルバムＢのジャケット画像Ｐ４が小サイズで表示部７０に表示される。
【００５２】
図４（ｄ）に示す状態で、操作部６０から逆方向にキー操作があった場合には、図４（ｃ）に示すジャケット表示画面７３のように、アルバムＡのジャケット画像Ｐ３が大サイズで表示部７０に表示される。図４（ｃ）に示す状態で、操作部６０から逆方向にキー操作があった場合には、図４（ｂ）に示すジャケット表示画面７２のように、アルバムＡのジャケット画像Ｐ２が中サイズで表示部７０に表示される。図４（ｂ）に示す状態で、操作部６０から逆方向にキー操作があった場合には、図４（ａ）に示すジャケット表示画面７１のように、アルバムＡのジャケット画像Ｐ１が小サイズで表示部７０に表示される。
【００５３】
図４（ａ）〜（ｉ）の表示状態において、操作部６０における決定動作を行うことにより、表示されているジャケット画像に対応付けられている音楽ファイルの選択又は再生を可能とする。
【００５４】
図４（ａ）〜（ｉ）は、表示部７０に表示されるジャケット画像の大きさを３段階に変更する場合（ｍ＝３，Ｙ＝１〜３）の例であるが、ジャケット画像の大きさは任意の段階数に設定可能である。また、段階を設けて不連続にジャケット画像の大きさを変更するのではなく、連続的に拡大又は縮小することとしてもよい。
【００５５】
以上説明したように、第１の実施の形態のデジタルオーディオプレーヤー１００によれば、選択対象のジャケット画像を順次拡大又は順次縮小して表示することができるので、音楽ファイルに対応付けられたジャケット画像の視認性を確保しつつ、面白みのある選択画面を提供することができる。
【００５６】
また、選択対象のジャケット画像を予め定められた最大サイズで表示し得るので、ジャケット画像を検索対象として有効に利用することができる。
【００５７】
［第２の実施の形態］
次に、本発明の第２の実施の形態について説明する。
第２の実施の形態におけるデジタルオーディオプレーヤーは、第１の実施の形態に示したデジタルオーディオプレーヤー１００と同様の構成によってなるため、図１及び図２を援用し、図示及び説明を省略する。以下、第２の実施の形態に特徴的な構成及び処理について説明する。
【００５８】
ＣＰＵ１０は、複数のジャケット画像のうち選択対象のジャケット画像を表示部７０に表示させるとともに選択対象のジャケット画像に対応付けられた音楽ファイルを選択可能とする状態において、操作部６０からの操作に応じて選択対象のジャケット画像を順次拡大又は順次縮小して表示部７０に表示させた後に、他の選択対象のジャケット画像を表示部７０に表示させるとともに他の選択対象のジャケット画像に対応付けられた音楽ファイルを選択可能とする。
【００５９】
ＣＰＵ１０は、操作部６０からの操作に応じて選択対象のジャケット画像を予め定められた最大サイズまで順次拡大して表示部７０に表示させた後に、次の順序のジャケット画像を選択対象のジャケット画像として予め定められた最小サイズで表示部７０に表示させる。また、ＣＰＵ１０は、操作部６０からの操作に応じて選択対象のジャケット画像を予め定められた最小サイズまで順次縮小して表示部７０に表示させた後に、前の順序のジャケット画像を選択対象のジャケット画像として予め定められた最大サイズで表示部７０に表示させる。第２の実施の形態では、選択対象のジャケット画像を表示する際に３段階（小サイズ、中サイズ、大サイズ）の大きさをとるものとする（ｍ＝３，Ｙ＝１〜３）。
【００６０】
ＣＰＵ１０は、表示部７０に表示される選択対象のジャケット画像の大きさに応じて、当該選択対象のジャケット画像に対応付けられた音楽ファイル（又は音楽ファイルが含まれるアルバム）に関する情報を表示部７０に表示させる。
【００６１】
具体的には、ＣＰＵ１０は、表示部７０に表示される選択対象のジャケット画像の大きさが小サイズの場合には、選択対象のジャケット画像とともに、アルバム名及び収録曲リストを表示部７０に表示させる。また、ＣＰＵ１０は、表示部７０に表示される選択対象のジャケット画像の大きさが中サイズの場合には、選択対象のジャケット画像とともに、アルバム名、アーティスト名、総演奏時間、ファイル形式及びジャンル名を表示部７０に表示させる。また、ＣＰＵ１０は、表示部７０に表示される選択対象のジャケット画像の大きさが大サイズの場合には、選択対象のジャケット画像とともに、ジャンル名を表示部７０に表示させる。
【００６２】
次に、動作について説明する。
図５は、第２の実施の形態のデジタルオーディオプレーヤーにおいて実行される第２のジャケット画像表示処理を示すフローチャートである。この処理は、ＣＰＵ１０とＲＯＭ２０に記憶されているプログラムとの協働によるソフトウェア処理によって実現される。
【００６３】
まず、図５に示すように、ＣＰＵ１０により、ジャケットナンバーＸ及びジャケットスケールＹの値が１に初期化される（ステップＳ２１）。
【００６４】
次に、ＣＰＵ１０により、表示処理１が実行される（ステップＳ２２）。
図６を参照して、表示処理１を説明する。
【００６５】
まず、ＣＰＵ１０により、ジャケットスケールＹが１であるか否かが判断される（ステップＳ４１）。ジャケットスケールＹが１である場合には（ステップＳ４１；ＹＥＳ）、ＣＰＵ１０により、ジャケットナンバーＸのジャケット画像の画像データが記憶装置４０から一時記憶部３０に読み出され、当該画像データに対して小サイズで表示すべく画像処理が施され、表示部７０にジャケットナンバーＸのジャケット画像が小サイズで表示される（ステップＳ４２）。そして、ＣＰＵ１０により、ジャケットナンバーＸのジャケット画像に対応付けられた音楽ファイルのタグ情報（アルバム情報、トラック情報）が記憶装置４０から一時記憶部３０に読み出され、アルバム名及び収録曲リストが表示部７０に表示される（ステップＳ４３）。
【００６６】
ステップＳ４１において、ジャケットスケールＹが１でない場合には（ステップＳ４１；ＮＯ）、ＣＰＵ１０により、ジャケットスケールＹが２であるか否かが判断される（ステップＳ４４）。ジャケットスケールＹが２である場合には（ステップＳ４４；ＹＥＳ）、ＣＰＵ１０により、ジャケットナンバーＸのジャケット画像の画像データが記憶装置４０から一時記憶部３０に読み出され、当該画像データに対して中サイズで表示すべく画像処理が施され、表示部７０にジャケットナンバーＸのジャケット画像が中サイズで表示される（ステップＳ４５）。そして、ＣＰＵ１０により、ジャケットナンバーＸのジャケット画像に対応付けられた音楽ファイルのタグ情報（アルバム情報、アーティスト情報、トラック情報、ファイル形式情報、ジャンル情報）が記憶装置４０から一時記憶部３０に読み出され、アルバム名、アーティスト名、総演奏時間、ファイル形式及びジャンル名が表示部７０に表示される（ステップＳ４６）。
【００６７】
ステップＳ４４において、ジャケットスケールＹが２でない場合には（ステップＳ４４；ＮＯ）、ジャケットスケールＹは３であり（ステップＳ４７）、ＣＰＵ１０により、ジャケットナンバーＸのジャケット画像の画像データが記憶装置４０から一時記憶部３０に読み出され、当該画像データに対して大サイズで表示すべく画像処理が施され、表示部７０にジャケットナンバーＸのジャケット画像が大サイズで表示される（ステップＳ４８）。そして、ＣＰＵ１０により、ジャケットナンバーＸのジャケット画像に対応付けられた音楽ファイルのタグ情報（ジャンル情報）が記憶装置４０から一時記憶部３０に読み出され、ジャンル名が表示部７０に表示される（ステップＳ４９）。
【００６８】
ステップＳ４３、ステップＳ４６又はステップＳ４９の後、図５に戻り、ＣＰＵ１０により、操作部６０からキー操作があったか否かが判断される（ステップＳ２３）。操作部６０からキー操作があった場合には（ステップＳ２３；ＹＥＳ）、ＣＰＵ１０により、そのキー操作が順方向であるか又は逆方向であるかが判断される（ステップＳ２４）。
【００６９】
キー操作が順方向である場合には（ステップＳ２４；ＹＥＳ）、ＣＰＵ１０により、ジャケットスケールＹが３（最大サイズ）であるか否かが判断される（ステップＳ２５）。ジャケットスケールＹが３でない場合には（ステップＳ２５；ＮＯ）、ＣＰＵ１０により、ジャケットスケールＹに１が加算され（ステップＳ２６）、ステップＳ２２に戻る。
【００７０】
ステップＳ２５において、ジャケットスケールＹが３である場合には（ステップＳ２５；ＹＥＳ）、ＣＰＵ１０により、ジャケットナンバーＸがｎ（予め定められている順序において最後のジャケット画像）であるか否かが判断される（ステップＳ２７）。ジャケットナンバーＸがｎでない場合には（ステップＳ２７；ＮＯ）、ＣＰＵ１０により、ジャケットナンバーＸに１が加算され（ステップＳ２８）、ジャケットスケールＹが１（最小サイズ）にリセットされ（ステップＳ２９）、ステップＳ２２に戻る。
【００７１】
ステップＳ２４において、キー操作が逆方向である場合には（ステップＳ２４；ＮＯ）、ＣＰＵ１０により、ジャケットスケールＹが１（最小サイズ）であるか否かが判断される（ステップＳ３０）。ジャケットスケールＹが１でない場合には（ステップＳ３０；ＮＯ）、ＣＰＵ１０により、ジャケットスケールＹから１が減算され（ステップＳ３１）、ステップＳ２２に戻る。
【００７２】
ステップＳ３０において、ジャケットスケールＹが１である場合には（ステップＳ３０；ＹＥＳ）、ＣＰＵ１０により、ジャケットナンバーＸが１（予め定められている順序において最初のジャケット画像）であるか否かが判断される（ステップＳ３２）。ジャケットナンバーＸが１でない場合には（ステップＳ３２；ＮＯ）、ＣＰＵ１０により、ジャケットナンバーＸから１が減算され（ステップＳ３３）、ジャケットスケールＹが３（最大サイズ）にリセットされ（ステップＳ３４）、ステップＳ２２に戻る。
【００７３】
ステップＳ２７において、ジャケットナンバーＸがｎである場合（ステップＳ２７；ＹＥＳ）、又は、ステップＳ３２において、ジャケットナンバーＸが１である場合（ステップＳ３２；ＹＥＳ）、処理が終了する。
【００７４】
図７（ａ）〜（ｃ）を参照して、操作部６０からのキー操作に応じて３段階（小サイズ、中サイズ、大サイズ）に順次拡大又は順次縮小してジャケット画像を表示する動作を説明する。図７（ａ）〜（ｃ）は、アルバムＢの表示例である。なお、アルバムＡ〜Ｃのジャケット画像には、アルバムＡ、アルバムＢ、アルバムＣの順に予め順序が定められている。
【００７５】
アルバムＡのジャケット画像が大サイズで表示部７０に表示され、アルバムＡのジャンル名が表示部７０に表示されている状態で、操作部６０から順方向にキー操作があった場合には、図７（ａ）に示すジャケット表示画面１７１のように、アルバムＢのジャケット画像Ｐ１１が小サイズで表示部７０に表示され、アルバムＢのアルバム名及び収録曲リストが表示部７０に表示される。
【００７６】
図７（ａ）に示す状態で、操作部６０から順方向にキー操作があった場合には、図７（ｂ）に示すジャケット表示画面１７２のように、アルバムＢのジャケット画像Ｐ１２が中サイズで表示部７０に表示され、アルバムＢのアルバム名、アーティスト名、総演奏時間、ファイル形式及びジャンル名が表示部７０に表示される。
【００７７】
図７（ｂ）に示す状態で、操作部６０から順方向にキー操作があった場合には、図７（ｃ）に示すジャケット表示画面１７３のように、アルバムＢのジャケット画像Ｐ１３が大サイズで表示部７０に表示され、アルバムＢのジャンル名が表示部７０に表示される。
【００７８】
図７（ｃ）に示す状態で、操作部６０から順方向にキー操作があった場合には、アルバムＣのジャケット画像が小サイズで表示部７０に表示され、アルバムＣのアルバム名及び収録曲リストが表示部７０に表示される。
【００７９】
逆に、アルバムＣのジャケット画像が小サイズで表示部７０に表示され、アルバムＣのアルバム名及び収録曲リストが表示部７０に表示されている状態で、操作部６０から逆方向にキー操作があった場合には、図７（ｃ）に示すジャケット表示画面１７３のように、アルバムＢのジャケット画像Ｐ１３が大サイズで表示部７０に表示され、アルバムＢのジャンル名が表示部７０に表示される。
【００８０】
図７（ｃ）に示す状態で、操作部６０から逆方向にキー操作があった場合には、図７（ｂ）に示すジャケット表示画面１７２のように、アルバムＢのジャケット画像Ｐ１２が中サイズで表示部７０に表示され、アルバムＢのアルバム名、アーティスト名、総演奏時間、ファイル形式及びジャンル名が表示部７０に表示される。
【００８１】
図７（ｂ）に示す状態で、操作部６０から逆方向にキー操作があった場合には、図７（ａ）に示すジャケット表示画面１７１のように、アルバムＢのジャケット画像Ｐ１１が小サイズで表示部７０に表示され、アルバムＢのアルバム名及び収録曲リストが表示部７０に表示される。
【００８２】
図７（ａ）に示す状態で、操作部６０から逆方向にキー操作があった場合には、アルバムＡのジャケット画像が大サイズで表示部７０に表示され、アルバムＡのジャンル名が表示部７０に表示される。
【００８３】
図７（ａ）〜（ｃ）の表示状態において、操作部６０における決定動作を行うことにより、表示されているジャケット画像に対応付けられている音楽ファイルの選択又は再生を可能とする。
【００８４】
以上説明したように、第２の実施の形態のデジタルオーディオプレーヤーによれば、選択対象のジャケット画像を順次拡大又は順次縮小して表示することができるので、音楽ファイルに対応付けられたジャケット画像の視認性を確保しつつ、面白みのある選択画面を提供することができる。
【００８５】
また、選択対象のジャケット画像を予め定められた最大サイズで表示し得るので、ジャケット画像を検索対象として有効に利用することができる。
【００８６】
また、表示部７０に表示される選択対象のジャケット画像の大きさに応じて、当該選択対象のジャケット画像に対応付けられた音楽ファイルに関する情報を表示部７０に表示するので、表示部７０のジャケット画像が表示される領域以外の領域を、音楽ファイルに関する情報を表示するための領域として有効に利用することができる。例えば、選択対象のジャケット画像を小サイズで表示する場合には、選択対象のジャケット画像とともに音楽ファイルに関する文字情報（アルバム名及び収録曲リスト）を表示することにより、音楽ファイルの内容を把握しやすくすることができる。また、選択対象のジャケット画像を中サイズで表示する場合には、選択対象のジャケット画像とともに音楽ファイルに関する文字情報（アルバム名、アーティスト名、総演奏時間、ファイル形式及びジャンル名）を表示することにより、音楽ファイルの内容を把握しやすくすることができる。また、選択対象のジャケット画像を大サイズで表示する場合には、選択対象のジャケット画像とともに音楽ファイルに関する文字情報（ジャンル名）を表示することにより、音楽ファイルの内容を把握しやすくすることができる。
【００８７】
なお、第２の実施の形態は、表示部７０に表示されるジャケット画像の大きさを３段階に変更する場合（ｍ＝３，Ｙ＝１〜３）の例であるが、ジャケット画像の大きさは任意の段階数に設定可能である。また、段階を設けて不連続にジャケット画像の大きさを変更するのではなく、連続的に拡大又は縮小することとしてもよい。
【００８８】
また、選択対象のジャケット画像とともに表示される音楽ファイルに関する情報は、音楽ファイルに関する文字情報だけでなく、音楽ファイルに関する画像や図形等であってもよい。
【００８９】
［第３の実施の形態］
次に、本発明の第３の実施の形態について説明する。
第３の実施の形態におけるデジタルオーディオプレーヤーは、第１の実施の形態に示したデジタルオーディオプレーヤー１００と同様の構成によってなるため、図１及び図２を援用し、図示及び説明を省略する。以下、第３の実施の形態に特徴的な構成及び処理について説明する。
【００９０】
ＣＰＵ１０は、複数のジャケット画像のうち選択対象のジャケット画像を表示部７０に表示させるとともに選択対象のジャケット画像に対応付けられた音楽ファイルを選択可能とする状態において、操作部６０からの操作に応じて選択対象のジャケット画像を順次拡大又は順次縮小して表示部７０に表示させた後に、他の選択対象のジャケット画像を表示部７０に表示させるとともに他の選択対象のジャケット画像に対応付けられた音楽ファイルを選択可能とする。
【００９１】
ＣＰＵ１０は、操作部６０からの操作に応じて選択対象のジャケット画像を予め定められた最大サイズまで順次拡大して表示部７０に表示させた後に、次の順序のジャケット画像を選択対象のジャケット画像として予め定められた最小サイズで表示部７０に表示させる。また、ＣＰＵ１０は、操作部６０からの操作に応じて選択対象のジャケット画像を予め定められた最小サイズまで順次縮小して表示部７０に表示させた後に、前の順序のジャケット画像を選択対象のジャケット画像として予め定められた最大サイズで表示部７０に表示させる。第３の実施の形態では、選択対象のジャケット画像を表示する際に３段階（小サイズ、中サイズ、大サイズ）の大きさをとるものとする（ｍ＝３，Ｙ＝１〜３）。
【００９２】
ＣＰＵ１０は、表示部７０に表示される選択対象のジャケット画像の大きさに応じて、当該選択対象のジャケット画像に対応付けられた音楽ファイル（又は音楽ファイルが含まれるアルバム）に関する情報を表示部７０に表示させる。
【００９３】
具体的には、ＣＰＵ１０は、表示部７０に表示される選択対象のジャケット画像の大きさが小サイズの場合には、選択対象のジャケット画像とともに、選択対象のジャケット画像の前後のジャケット画像を表示部７０に表示させる。また、ＣＰＵ１０は、表示部７０に表示される選択対象のジャケット画像の大きさが中サイズの場合には、選択対象のジャケット画像とともに、アルバム名、アーティスト名、ジャンル名及び総演奏時間を表示部７０に表示させる。また、ＣＰＵ１０は、表示部７０に表示される選択対象のジャケット画像の大きさが大サイズの場合には、選択対象のジャケット画像のみを表示部７０に表示させる。
【００９４】
次に、動作について説明する。
第３の実施の形態では、第２の実施の形態の第２のジャケット画像表示処理（図５）において、ステップＳ２２の表示処理１に代えて、図８に示す表示処理２を実行する。第２の実施の形態と同様の処理については、図示及び説明を省略する。
【００９５】
図８に示すように、ＣＰＵ１０により、ジャケットスケールＹが１であるか否かが判断される（ステップＳ５１）。ジャケットスケールＹが１である場合には（ステップＳ５１；ＹＥＳ）、ＣＰＵ１０により、ジャケットナンバーＸのジャケット画像の画像データが記憶装置４０から一時記憶部３０に読み出され、当該画像データに対して小サイズで表示すべく画像処理が施され、表示部７０にジャケットナンバーＸのジャケット画像が小サイズで表示される（ステップＳ５２）。そして、ＣＰＵ１０により、ジャケットナンバー（Ｘ−１）及びジャケットナンバー（Ｘ＋１）のジャケット画像の画像データが記憶装置４０から一時記憶部３０に読み出され、これらの画像データに対して小サイズで表示すべく画像処理が施され、表示部７０にジャケットナンバー（Ｘ−１）及びジャケットナンバー（Ｘ＋１）のジャケット画像が小サイズで表示される（ステップＳ５３）。
【００９６】
ステップＳ５１において、ジャケットスケールＹが１でない場合には（ステップＳ５１；ＮＯ）、ＣＰＵ１０により、ジャケットスケールＹが２であるか否かが判断される（ステップＳ５４）。ジャケットスケールＹが２である場合には（ステップＳ５４；ＹＥＳ）、ＣＰＵ１０により、ジャケットナンバーＸのジャケット画像の画像データが記憶装置４０から一時記憶部３０に読み出され、当該画像データに対して中サイズで表示すべく画像処理が施され、表示部７０にジャケットナンバーＸのジャケット画像が中サイズで表示される（ステップＳ５５）。そして、ＣＰＵ１０により、ジャケットナンバーＸのジャケット画像に対応付けられた音楽ファイルのタグ情報（アルバム情報、アーティスト情報、ジャンル情報、トラック情報）が記憶装置４０から一時記憶部３０に読み出され、アルバム名、アーティスト名、ジャンル名及び総演奏時間が表示部７０に表示される（ステップＳ５６）。
【００９７】
ステップＳ５４において、ジャケットスケールＹが２でない場合には（ステップＳ５４；ＮＯ）、ジャケットスケールＹは３であり（ステップＳ５７）、ＣＰＵ１０により、ジャケットナンバーＸのジャケット画像の画像データが記憶装置４０から一時記憶部３０に読み出され、当該画像データに対して大サイズで表示すべく画像処理が施され、表示部７０にジャケットナンバーＸのジャケット画像が大サイズで表示される（ステップＳ５８）。
【００９８】
ステップＳ５３、ステップＳ５６又はステップＳ５８の後、図５のステップＳ２３へ移行する。
【００９９】
図９（ａ）〜（ｃ）を参照して、操作部６０からのキー操作に応じて３段階（小サイズ、中サイズ、大サイズ）に順次拡大又は順次縮小してジャケット画像を表示する動作を説明する。図９（ａ）〜（ｃ）は、アルバムＢの表示例である。なお、アルバムＡ〜Ｄのジャケット画像には、アルバムＡ、アルバムＢ、アルバムＣ、アルバムＤの順に予め順序が定められている。
【０１００】
アルバムＡのジャケット画像が大サイズで表示部７０に表示されている状態で、操作部６０から順方向にキー操作があった場合には、図９（ａ）に示すジャケット表示画面２７１のように、アルバムＢのジャケット画像Ｐ２１とともにアルバムＡのジャケット画像Ｐ２２及びアルバムＣのジャケット画像Ｐ２３が小サイズで表示部７０に表示される。
【０１０１】
図９（ａ）に示す状態で、操作部６０から順方向にキー操作があった場合には、図９（ｂ）に示すジャケット表示画面２７２のように、アルバムＢのジャケット画像Ｐ２４が中サイズで表示部７０に表示され、アルバムＢのアルバム名、アーティスト名、ジャンル名及び総演奏時間が表示部７０に表示される。
【０１０２】
図９（ｂ）に示す状態で、操作部６０から順方向にキー操作があった場合には、図９（ｃ）に示すジャケット表示画面２７３のように、アルバムＢのジャケット画像Ｐ２５が大サイズで表示部７０に表示される。
【０１０３】
図９（ｃ）に示す状態で、操作部６０から順方向にキー操作があった場合には、アルバムＣのジャケット画像とともにアルバムＢのジャケット画像及びアルバムＤのジャケット画像が小サイズで表示部７０に表示される。
【０１０４】
逆に、アルバムＣのジャケット画像とともにアルバムＢのジャケット画像及びアルバムＤのジャケット画像が小サイズで表示部７０に表示されている状態で、操作部６０から逆方向にキー操作があった場合には、図９（ｃ）に示すジャケット表示画面２７３のように、アルバムＢのジャケット画像Ｐ２５が大サイズで表示部７０に表示される。
【０１０５】
図９（ｃ）に示す状態で、操作部６０から逆方向にキー操作があった場合には、図９（ｂ）に示すジャケット表示画面２７２のように、アルバムＢのジャケット画像Ｐ２４が中サイズで表示部７０に表示され、アルバムＢのアルバム名、アーティスト名、ジャンル名及び総演奏時間が表示部７０に表示される。
【０１０６】
図９（ｂ）に示す状態で、操作部６０から逆方向にキー操作があった場合には、図９（ａ）に示すジャケット表示画面２７１のように、アルバムＢのジャケット画像Ｐ２１とともにアルバムＡのジャケット画像Ｐ２２及びアルバムＣのジャケット画像Ｐ２３が小サイズで表示部７０に表示される。
【０１０７】
図９（ａ）に示す状態で、操作部６０から逆方向にキー操作があった場合には、アルバムＡのジャケット画像が大サイズで表示部７０に表示される。
【０１０８】
図９（ａ）〜（ｃ）の表示状態において、操作部６０における決定動作を行うことにより、表示されているジャケット画像に対応付けられている音楽ファイルの選択又は再生を可能とする。
【０１０９】
以上説明したように、第３の実施の形態のデジタルオーディオプレーヤーによれば、選択対象のジャケット画像を順次拡大又は順次縮小して表示することができるので、音楽ファイルに対応付けられたジャケット画像の視認性を確保しつつ、面白みのある選択画面を提供することができる。
【０１１０】
また、選択対象のジャケット画像を予め定められた最大サイズで表示し得るので、ジャケット画像を検索対象として有効に利用することができる。
【０１１１】
また、表示部７０に表示される選択対象のジャケット画像の大きさに応じて、当該選択対象のジャケット画像に対応付けられた音楽ファイルに関する情報を表示部７０に表示するので、表示部７０のジャケット画像が表示される領域以外の領域を、音楽ファイルに関する情報を表示するための領域として有効に利用することができる。例えば、選択対象のジャケット画像を小サイズで表示する場合には、これと合わせて予め定められている順序において前後のジャケット画像を表示することができる。また、選択対象のジャケット画像を中サイズで表示する場合には、これと合わせて音楽ファイルに関する文字情報（アルバム名、アーティスト名、ジャンル名及び総演奏時間）を表示することにより、音楽ファイルの内容を把握しやすくすることができる。
【０１１２】
なお、第３の実施の形態は、表示部７０に表示されるジャケット画像の大きさを３段階に変更する場合（ｍ＝３，Ｙ＝１〜３）の例であるが、ジャケット画像の大きさは任意の段階数に設定可能である。また、段階を設けて不連続にジャケット画像の大きさを変更するのではなく、連続的に拡大又は縮小することとしてもよい。
【０１１３】
上記各実施の形態における記述は、本発明に係るコンテンツ情報表示装置、コンテンツ情報表示方法及びプログラムの一例であり、これに限定されるものではない。装置を構成する各部の細部構成及び細部動作に関しても適宜変更可能である。
【０１１４】
例えば、上記各実施の形態では、コンテンツとして音楽ファイル、コンテンツが対応付けられた画像としてジャケット画像を例とした場合について説明したが、コンテンツは音楽ファイルに限定されず、画像ファイル（静止画・動画）、テキストファイル、ゲームコンテンツ等であってもよい。
【０１１５】
また、順方向・逆方向のキー操作として、操作部６０において球体６１を前後方向に回転する場合について説明したが、操作部６０において球体６１を左右方向に回転する操作を順方向・逆方向のキー操作に割り当てることとしてもよい。
【０１１６】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【０１１７】
【図１】第１の実施の形態におけるデジタルオーディオプレーヤーの機能的構成を示すブロック図である。
【図２】（ａ）は、操作部の上面図である。（ｂ）は、操作部の側面図である。
【図３】第１の実施の形態のデジタルオーディオプレーヤーにおいて実行される第１のジャケット画像表示処理を示すフローチャートである。
【図４】（ａ）は、アルバムＡのジャケット画像を小サイズで表示したジャケット表示画面の表示例である。（ｂ）は、アルバムＡのジャケット画像を中サイズで表示したジャケット表示画面の表示例である。（ｃ）は、アルバムＡのジャケット画像を大サイズで表示したジャケット表示画面の表示例である。（ｄ）は、アルバムＢのジャケット画像を小サイズで表示したジャケット表示画面の表示例である。（ｅ）は、アルバムＢのジャケット画像を中サイズで表示したジャケット表示画面の表示例である。（ｆ）は、アルバムＢのジャケット画像を大サイズで表示したジャケット表示画面の表示例である。（ｇ）は、アルバムＣのジャケット画像を小サイズで表示したジャケット表示画面の表示例である。（ｈ）は、アルバムＣのジャケット画像を中サイズで表示したジャケット表示画面の表示例である。（ｉ）は、アルバムＣのジャケット画像を大サイズで表示したジャケット表示画面の表示例である。
【図５】第２の実施の形態のデジタルオーディオプレーヤーにおいて実行される第２のジャケット画像表示処理を示すフローチャートである。
【図６】第２の実施の形態における表示処理１を示すフローチャートである。
【図７】（ａ）は、アルバムＢのジャケット画像を小サイズで表示したジャケット表示画面の表示例である。（ｂ）は、アルバムＢのジャケット画像を中サイズで表示したジャケット表示画面の表示例である。（ｃ）は、アルバムＢのジャケット画像を大サイズで表示したジャケット表示画面の表示例である。
【図８】第３の実施の形態における表示処理２を示すフローチャートである。
【図９】（ａ）は、アルバムＢのジャケット画像を小サイズで表示したジャケット表示画面の表示例である。（ｂ）は、アルバムＢのジャケット画像を中サイズで表示したジャケット表示画面の表示例である。（ｃ）は、アルバムＢのジャケット画像を大サイズで表示したジャケット表示画面の表示例である。
【図１０】（ａ）は、従来のアルバム検索画面の表示例である。（ｂ）は、従来の再生表示画面の表示例である。（ｃ）は、従来のフルサイズ表示画面の表示例である。
【図１１】従来のジャケット検索画面の表示例である。
【図１２】従来のジャケット検索画面の他の表示例である。
【符号の説明】
【０１１８】
１０  ＣＰＵ
２０  ＲＯＭ
３０  一時記憶部
４０  記憶装置
５０  クロック部
６０  操作部
６１  球体
６２  筐体
７０  表示部
７１，７２，７３，７４，７５，７６，７７，７８，７９  ジャケット表示画面
８０  増幅部
９０  出力部
１００  デジタルオーディオプレーヤー
１７１，１７２，１７３  ジャケット表示画面
２７１，２７２，２７３  ジャケット表示画面
Ｐ１，Ｐ２，Ｐ３  アルバムＡのジャケット画像
Ｐ４，Ｐ５，Ｐ６  アルバムＢのジャケット画像
Ｐ７，Ｐ８，Ｐ９  アルバムＣのジャケット画像
Ｐ１１，Ｐ１２，Ｐ１３  アルバムＢのジャケット画像
Ｐ２１，Ｐ２４，Ｐ２５  アルバムＢのジャケット画像
Ｐ２２  アルバムＡのジャケット画像
Ｐ２３  アルバムＣのジャケット画像
【図１】
2010055270.tif 000003
【図２】
2010055270.tif 000004
【図３】
2010055270.tif 000005
【図４】
2010055270.tif 000006
【図５】
2010055270.tif 000007
【図６】
2010055270.tif 000008
【図７】
2010055270.tif 000009
【図８】
2010055270.tif 000010
【図９】
2010055270.tif 000011
【図１０】
2010055270.tif 000012
【図１１】
2010055270.tif 000013
【図１２】
2010055270.tif 000014